【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
第１及び第２の感光体の感光面の夫々を第１の方向に光走査する光走査装置を備える画像形成装置であって、
前記第１の方向に垂直な第１の断面内において、前記第１の感光体の径は前記第２の感光体の径よりも小さく、
前記第１の断面内において、前記光走査装置から出射した光束の、前記第１の感光体の感光面に対する第１の入射角の符号と、前記第２の感光体の感光面に対する第２の入射角の符号と、は互いに異なり、
前記第１の入射角の絶対値をθ１（ｒａｄ）、前記第２の入射角の絶対値をθ２（ｒａｄ）、とするとき、
θ１＞θ２＞０
なる条件を満足することを特徴とする画像形成装置。
【請求項２】
前記第１の断面内において、前記第１の感光体の径をΦ１（ｍｍ）、前記第２の感光体の径をΦ２（ｍｍ）、前記光走査装置から出射する光束の波長をλ（μｍ）、前記第１及び第２の感光体の夫々の感光面における前記光束の副走査方向でのスポット径をＳ（μｍ）、とするとき、
θ１≧３／Φ１＋１．６４λ／Ｓ
θ２≧３／Φ２＋１．６４λ／Ｓ
なる条件を満足することを特徴とする請求項１に記載の画像形成装置。
【請求項３】
前記第１の断面内において、前記第２の感光体の径をΦ２（ｍｍ）、前記光走査装置から出射する光束の波長をλ（μｍ）、前記第１及び第２の感光体の夫々の感光面における前記光束の副走査方向でのスポット径をＳ（μｍ）、とするとき、
０．４３＞θ１＞θ２≧３／Φ２＋１．６４λ／Ｓ
なる条件を満足することを特徴とする請求項１又は２に記載の画像形成装置。
【請求項４】
前記第１の入射角と前記第２の入射角との差の絶対値をΔθとするとき、
０．３１≧Δθ
なる条件を満足することを特徴とする請求項１乃至３のいずれか１項に記載の画像形成装置。
【請求項５】
前記第２の感光体は、ブラックの画像に対応する感光体であることを特徴とする請求項１乃至４のいずれか１項に記載の画像形成装置。
【請求項６】
前記第１及び第２の感光体の感光面の夫々を光走査する第１及び第２の光走査装置を有することを特徴とする請求項１乃至５のいずれか１項に記載の画像形成装置。
【手続補正２】
【補正対象書類名】明細書
【補正対象項目名】０００８
【補正方法】変更
【補正の内容】
【０００８】
上記目的を達成するために、本発明に係る画像形成装置は、第１及び第２の感光体の感光面の夫々を第１の方向に光走査する光走査装置を備える画像形成装置であって、前記第１の方向に垂直な第１の断面内において、前記第１の感光体の径は前記第２の感光体の径よりも小さく、前記第１の断面内において、前記光走査装置から出射した光束の、前記第１の感光体の感光面に対する第１の入射角の符号と、前記第２の感光体の感光面に対する第２の入射角の符号と、は互いに異なり、前記第１の入射角の絶対値をθ１（ｒａｄ）、前記第２の入射角の絶対値をθ２（ｒａｄ）、とするとき、θ１＞θ２＞０なる条件を満足することを特徴とする。
【手続補正３】
【補正対象書類名】明細書
【補正対象項目名】００１６
【補正方法】変更
【補正の内容】
【００１６】
（正反射光回避条件）
先ず、感光体の平行偏心などの設置誤差による入射位置ずれ（平行偏心）を考慮したときの、正反射を回避するための条件（正反射光回避条件）について説明する。感光体の直径をΦ（ｍｍ）（すなわち半径ｒ＝Φ／２）、入射角の大きさ（絶対値）をθ（ｒａｄ）、としたとき、正反射光を回避するためには、図１（ａ）に示すように、走査光束の感光面上の入射位置を副走査方向（感光体の回転方向）にシフトする必要がある。
【手続補正４】
【補正対象書類名】明細書
【補正対象項目名】００１８
【補正方法】変更
【補正の内容】
【００１８】
Ｚ＝Φ／２・θ≧１．５    ・・・（１）
θ≧３／Φ    ・・・（１’）
式（１’）から分かるように、正反射光を回避するための最小の入射角の大きさθｍｉｎ（＝３／Φ）は、感光体の直径Φが大きい程小さくて済む。
【手続補正５】
【補正対象書類名】明細書
【補正対象項目名】００２０
【補正方法】変更
【補正の内容】
【００２０】
θ＞２α    ・・・（２）
以上より、正反射を回避する入射角の大きさとして設定すべきθの値は、式（１’）、（２）の最小値の和に基づく以下の式（３）で記述できる。
【手続補正６】
【補正対象書類名】明細書
【補正対象項目名】００２１
【補正方法】変更
【補正の内容】
【００２１】
θ≧３／Φ＋２α    ・・・（３）
よって、式（３）より、感光体の直径Φが小さくなる程、大きな入射角θを与えなければならないことが分かる。即ち、径が最大の第２の感光体に合わせて最小の入射角を設定すると、径が最小の第１の感光体においては正反射を回避するのに十分な角度にならない。したがって、感光体３の感光面に対する入射角の大きさ（絶対値）をθ１（ｒａｄ）、感光体４の感光面に対する入射角の大きさ（絶対値）をθ２（ｒａｄ）とするとき、正反射光を回避するには、θ１＞θ２＞０なる条件を満足する構成する必要がある。
【手続補正７】
【補正対象書類名】明細書
【補正対象項目名】００２３
【補正方法】変更
【補正の内容】
【００２３】
（カラー用光走査装置における正反射光回避条件）
感光体３の感光面に入射する光束の入射角の大きさ（絶対値）をθ１（ｒａｄ）、感光体３の直径をΦ１（ｍｍ）としたとき、本実施形態においてはΦ１＝３０ｍｍより、式（１’）は以下の式（１’ａ）で記述できる。
【手続補正８】
【補正対象書類名】明細書
【補正対象項目名】００２４
【補正方法】変更
【補正の内容】
【００２４】
θ１≧３／Φ＝０．１（ｒａｄ）      ・・・（１’ａ）
さらに、感光体３の感光面に入射する光束の波長をλ（μｍ）、感光面上の副走査方向のスポット径をＳ（μｍ）とするとき、スポット径Ｓ＝ｋＦλ（ｋ＝１．６４）、およびα＝１／（２Ｆ）より、α＝０．５・ｋλ／Ｓとなる。このことから、上述した式（２）は以下の式（２ａ）で記述できる。なお、本実施形態においては、波長λ=０．６７μｍにおいてスポット径Ｓ＝５０μｍとしている。
【手続補正９】
【補正対象書類名】明細書
【補正対象項目名】００２６
【補正方法】変更
【補正の内容】
【００２６】
θ１≧３／Φ１＋１．６４λ／Ｓ＝０．１２２（ｒａｄ）  ・・・（３ａ）
本実施形態では、図４（ａ）に示すように、光束７の入射角の大きさθ１＝０．１２２ｒａｄであり、上述の式（３ａ）を満足しているため。正反射光を回避できている。
【手続補正１０】
【補正対象書類名】明細書
【補正対象項目名】００３１
【補正方法】変更
【補正の内容】
【００３１】
θ２≧３／Φ２＋１．６４λ／Ｓ＝０．０５８（ｒａｄ）  ・・・（３ｂ）
本実施形態では、図４（ｂ）に示すように、光束８の入射角の大きさθ２＝０．０８７（ｒａｄ）としており、上述の式（３ｂ）を満たしているため、正反射光を回避できている。また、１／ｃｏｓθ２＝１．００４より、スポット肥大は高々０．４％であり、スポット径の肥大を１０％以下に抑えることができている。
【手続補正１１】
【補正対象書類名】明細書
【補正対象項目名】００３２
【補正方法】変更
【補正の内容】
【００３２】
（カラー用感光体への入射光とブラック用感光体への入射光との方向性の違い）
図４（ａ）、（ｂ）に示す通り、カラー用感光体３及びブラック用感光体４の夫々に対する入射光束７及び８は、正反射光を回避するための入射角度θ１とθ２と成しているが、入射光束７及び８は面法線に対して互いに異なる側から入射させている。即ち、θ１とθ２とは、各感光体の面法線に対して異なる向きの角度（符号が異なる角度）となる。この理由について、図３に示したカラー用光走査装置１とブラック用光走査装置２とが隣接して配置される部分を用いて説明する。
【手続補正１２】
【補正対象書類名】明細書
【補正対象項目名】００３７
【補正方法】変更
【補正の内容】
【００３７】
また、第１の感光体と第２の感光体とにおける画質の均一性を確保する上では、各感光体間でのスポット径肥大量を５％以下に揃えることがより好ましい。すなわち各感光体に入射する光束の入射角の大きさ同士の差をΔθ（ｒａｄ）とするとき、以下の式（６）を満たすように構成することがより好ましい。なお、第１の感光体と第２の感光体とにおけるΔθ＝｜θ１−θ２｜となる。